【手続補正書】
【提出日】平成28年1月13日(2016.1.13)
【手続補正１】
【補正対象書類名】明細書
【補正対象項目名】００９２
【補正方法】変更
【補正の内容】
【００９２】
本発明は、その好適な実施形態を参照して特に示されかつ記載されたが、その好適な実施形態においては、添付の特許請求の範囲に包含される本発明の範囲を逸脱せずに、形態および詳細において種々の変更がなされ得ることが当業者によって理解されるであろう。
なお、本発明は、実施の態様として以下の内容を含む。
〔態様１〕
掃引光信号を参照アームと試料アームとの間で分割し、前記参照アームと前記試料アームとから戻る光信号を合わせて干渉信号を生成する干渉計と、
前記掃引光信号を生成する光掃引源システムであって、少なくとも２種類の掃引速度で周波数走査を行うように制御される、光掃引源システムと、
前記掃引速度に応じて、異なる光周波数サンプリング間隔で、前記干渉信号を検出する検出システムとを備えた、光コヒーレンストモグラフィシステム。
〔態様２〕
態様１に記載の光コヒーレンストモグラフィシステムにおいて、さらに、
前記掃引光信号の周波数走査を検出し、前記掃引光信号が光周波数の間隔で走査されると、ｋクロック信号を生成する、ｋクロックモジュールを備えた、光コヒーレンストモグラフィシステム。
〔態様３〕
態様１に記載の光コヒーレンストモグラフィシステムにおいて、さらに、
前記掃引光信号の周波数走査を検出し、前記掃引光信号が一定の光周波数間隔で走査されると、ｋクロック信号を生成する、ｋクロックモジュールを備えた、光コヒーレンストモグラフィシステム。
〔態様４〕
態様３に記載の光コヒーレンストモグラフィシステムにおいて、前記ｋクロックモジュールは、前記光掃引源システムからの前記掃引光信号をフィルタリングするエタロンと、前記エタロンによってフィルタリングされた前記掃引光信号を検出するｋクロック検出器とを含む、光コヒーレンストモグラフィシステム。
〔態様５〕
態様３に記載の光コヒーレンストモグラフィシステムにおいて、前記ｋクロックモジュールは、前記光掃引源システムからの前記掃引光信号をフィルタリングするｋクロック干渉計と、前記ｋクロック干渉計によってフィルタリングされた前記掃引光信号を検出するｋクロック検出器とを含む、光コヒーレンストモグラフィシステム。
〔態様６〕
態様３に記載の光コヒーレンストモグラフィシステムにおいて、前記ｋクロックモジュールは、前記ｋクロック信号を生成するために、前記光掃引源システムに対して選択された掃引速度に応じて、複数の参照クロック信号の中からの選択を行うクロックセレクタを含む、光コヒーレンストモグラフィシステム。
〔態様７〕
態様３に記載の光コヒーレンストモグラフィシステムにおいて、前記ｋクロックモジュールは、前記ｋクロック信号を生成するために、前記光掃引源システムに対して選択された掃引速度に応じて、複数の参照クロック信号の周波数を乗算する、ｋクロック乗算モジュールを含む、光コヒーレンストモグラフィシステム。
〔態様８〕
態様７に記載の光コヒーレンストモグラフィシステムにおいて、前記ｋクロック乗算モジュールは、バンドパスフィルタによるフィルタリングの前に、前記ｋクロックモジュールからの前記複数の参照クロック信号を整流する整流器を含む、光コヒーレンストモグラフィシステム。
〔態様９〕
態様６に記載の光コヒーレンストモグラフィシステムにおいて、前記ｋクロック乗算モジュールは、バンドパスフィルタによるフィルタリングの前に、前記ｋクロックモジュールからの前記複数のクロック信号を整流する全波整流器を含む、光コヒーレンストモグラフィシステム。
〔態様１０〕
態様１に記載の光コヒーレンストモグラフィシステムにおいて、前記光掃引源システムでは、高い走査速度の走査帯域が、低い走査速度の走査帯域よりも狭い、光コヒーレンストモグラフィシステム
〔態様１１〕
態様１に記載の光コヒーレンストモグラフィシステムにおいて、前記光掃引源システムでは、高い走査速度の走査帯域が、低い走査速度の走査帯域と実質的に同一である、光コヒーレンストモグラフィシステム。
〔態様１２〕
態様１に記載の光コヒーレンストモグラフィシステムにおいて、前記光掃引源システムが、異なる走査速度で動作する少なくとも２つのレーザ掃引源を含む、光コヒーレンストモグラフィシステム。
〔態様１３〕
態様１に記載の光コヒーレンストモグラフィシステムにおいて、前記光掃引源システムが、異なる走査速度で動作する少なくとも２つのＡＳＥ掃引光源を含む、光コヒーレンストモグラフィシステム。
〔態様１４〕
態様１に記載の光コヒーレンストモグラフィシステムにおいて、前記検出システムは、前記干渉信号を検出する平衡検出器と、この平衡検出器の信号をアナログデジタル変換するデータ取得システムとを含む、光コヒーレンストモグラフィシステム。
〔態様１５〕
掃引光信号を生成し、この掃引光信号を少なくとも２種類の掃引速度で周波数走査を行う工程と、
前記掃引光信号を干渉計の参照アームと試料アームとの間で分割し、前記参照アームと前記試料アームとから戻る光信号を合わせて干渉信号を生成する工程と、
前記掃引速度に応じて、異なる光周波数サンプリング間隔で、前記干渉信号を検出する工程とを備えた、光コヒーレンストモグラフィ方法。
〔態様１６〕
態様１５に記載の光コヒーレンストモグラフィ方法において、さらに、
前記掃引光信号の周波数走査を検出し、前記干渉信号の検出を制御するのに用いられる光周波数の間隔で前記掃引光信号が走査されると、ｋクロック信号を生成する、周波数走査検出工程を備えた、光コヒーレンストモグラフィ方法。
〔態様１７〕
態様１５に記載の光コヒーレンストモグラフィ方法において、さらに、
前記掃引光信号の周波数走査を検出し、前記干渉信号の検出を制御するのに用いられる一定の光周波数間隔で前記掃引光信号が走査されると、ｋクロック信号を生成する、周波数走査検出工程を備えた、光コヒーレンストモグラフィ方法。
〔態様１８〕
態様１７に記載の光コヒーレンストモグラフィ方法において、前記周波数走査検出工程が、エタロンで前記掃引光信号をフィルタリングする工程を含む、光コヒーレンストモグラフィ方法。
〔態様１９〕
態様１７に記載の光コヒーレンストモグラフィ方法において、前記周波数走査検出工程が、ｋクロック干渉計で前記掃引光信号をフィルタリングする工程を含む、光コヒーレンストモグラフィ方法。
〔態様２０〕
態様１７に記載の光コヒーレンストモグラフィ方法において、さらに、
前記ｋクロック信号を生成するために、前記光掃引源システムに対して選択された掃引速度に応じて、複数の参照クロック信号の中からの選択を行う、工程を備えた、光コヒーレンストモグラフィ方法。
〔態様２１〕
態様１５に記載の光コヒーレンストモグラフィ方法において、
前記掃引光信号の周波数走査を検出する工程と、
前記掃引光信号が一定の光周波数間隔で走査されると、複数の参照クロック信号を生成する、工程と、
ｋクロック信号を生成するために、前記光掃引源システムに対して選択された掃引速度に応じて、前記複数の参照クロック信号の周波数を乗算する、工程と、
前記干渉信号の検出を制御するために、前記ｋクロック信号を用いる、工程とを備えた光コヒーレンストモグラフィ方法。
〔態様２２〕
態様２１に記載の光コヒーレンストモグラフィ方法において、前記複数の参照クロック信号の周波数を乗算する工程が、バンドパスフィルタリングの前に、前記複数の参照クロック信号を整流する工程を含む、光コヒーレンストモグラフィ方法。
〔態様２３〕
態様１５に記載の光コヒーレンストモグラフィ方法において、高い走査速度の走査帯域が、低い走査速度の走査帯域よりも狭い、光コヒーレンストモグラフィ方法。
〔態様２４〕
光掃引源システムからの前記掃引光信号の周波数走査を検出し、掃引光信号が光周波数の間隔で走査されると、ｋクロック信号を生成する光コヒーレンストモグラフィシステムについてのｋクロックモジュールであって、
前記光掃引源システムからの前記掃引光信号をフィルタリングする少なくとも２つの光学フィルタと、
複数の参照クロック信号を生成するように、前記少なくとも２つの光学フィルタによってフィルタリングされた前記掃引光信号を検出する、ｋクロック検出器と、
前記ｋクロック信号を生成するように、前記光掃引源システムに対して選択された掃引速度に応じて、前記参照クロック信号の中からの選択を行うクロックセレクタとを備えた、ｋクロックモジュール。
〔態様２５〕
態様２４に記載のシステムにおいて、前記光学フィルタはエタロンである、システム。
〔態様２６〕
態様２４に記載のシステムにおいて、前記フィルタはｋクロック干渉計である、システム。
〔態様２７〕
光掃引源システムからの前記掃引光信号の周波数走査を検出し、掃引光信号が光周波数の間隔で走査されると、ｋクロック信号を生成する光コヒーレンストモグラフィシステムのｋクロックモジュールであって、
前記光掃引源システムからの前記掃引光信号をフィルタリングする光学フィルタと、
参照クロック信号を生成するために、前記光学フィルタによってフィルタリングされた前記掃引光信号を検出する、ｋクロック検出器と、
ｋクロック信号を生成するために、前記光掃引源システムに対して選択された掃引速度に応じて、前記参照クロック信号の周波数を乗算するｋクロック乗算モジュールとを備えた、光コヒーレンストモグラフィシステムのｋクロックモジュール。
〔態様２８〕
態様２７に記載の光コヒーレンストモグラフィシステムにおいて、前記ｋクロック乗算モジュールが、バンドパスフィルタによるフィルタリングの前に、前記ｋクロックモジュールからの前記参照クロック信号を整流する整流器を含む、光コヒーレンストモグラフィシステム。
〔態様２９〕
態様２７に記載の光コヒーレンストモグラフィシステムにおいて、前記ｋクロック乗算モジュールが、バンドパスフィルタによるフィルタリングの前に、前記ｋクロックモジュールからの前記クロック信号を整流する全波整流器を含む、光コヒーレンストモグラフィシステム。
【手続補正２】
【補正対象書類名】特許請求の範囲
【補正対象項目名】全文
【補正方法】変更
【補正の内容】
【特許請求の範囲】
【請求項１】
掃引光信号を参照アームと試料アームとの間で分割し、前記参照アームと前記試料アームとから戻る光信号を合わせて干渉信号を生成する干渉計と、
前記掃引光信号を生成する光掃引源システムであって、少なくとも２種類の掃引速度で周波数走査を行うように制御される、光掃引源システムと、
前記掃引速度に応じて、異なる光周波数サンプリング間隔で、前記干渉信号を検出する検出システムとを備えた、光コヒーレンストモグラフィシステム。
【請求項２】
請求項１に記載の光コヒーレンストモグラフィシステムにおいて、さらに、
前記掃引光信号の周波数走査を検出し、前記掃引光信号が光周波数の間隔で走査されると、ｋクロック信号を生成する、ｋクロックモジュールを備えた、光コヒーレンストモグラフィシステム。
【請求項３】
請求項１に記載の光コヒーレンストモグラフィシステムにおいて、さらに、
前記掃引光信号の周波数走査を検出し、前記掃引光信号が一定の光周波数間隔で走査されると、ｋクロック信号を生成する、ｋクロックモジュールを備えた、光コヒーレンストモグラフィシステム。
【請求項４】
請求項３に記載の光コヒーレンストモグラフィシステムにおいて、前記ｋクロックモジュールは、前記光掃引源システムからの前記掃引光信号をフィルタリングするエタロンと、前記エタロンによってフィルタリングされた前記掃引光信号を検出するｋクロック検出器とを含む、光コヒーレンストモグラフィシステム。
【請求項５】
請求項３に記載の光コヒーレンストモグラフィシステムにおいて、前記ｋクロックモジュールは、前記光掃引源システムからの前記掃引光信号をフィルタリングするｋクロック干渉計と、前記ｋクロック干渉計によってフィルタリングされた前記掃引光信号を検出するｋクロック検出器とを含む、光コヒーレンストモグラフィシステム。
【請求項６】
請求項３に記載の光コヒーレンストモグラフィシステムにおいて、前記ｋクロックモジュールは、前記ｋクロック信号を生成するために、前記光掃引源システムに対して選択された掃引速度に応じて、複数の参照クロック信号の中からの選択を行うクロックセレクタを含む、光コヒーレンストモグラフィシステム。
【請求項７】
請求項３に記載の光コヒーレンストモグラフィシステムにおいて、前記ｋクロックモジュールは、前記ｋクロック信号を生成するために、前記光掃引源システムに対して選択された掃引速度に応じて、複数の参照クロック信号の周波数を乗算する、ｋクロック乗算モジュールを含む、光コヒーレンストモグラフィシステム。
【請求項８】
請求項７に記載の光コヒーレンストモグラフィシステムにおいて、前記ｋクロック乗算モジュールは、バンドパスフィルタによるフィルタリングの前に、前記ｋクロックモジュールからの前記複数の参照クロック信号を整流する整流器を含む、光コヒーレンストモグラフィシステム。
【請求項９】
請求項７に記載の光コヒーレンストモグラフィシステムにおいて、前記ｋクロック乗算モジュールは、バンドパスフィルタによるフィルタリングの前に、前記ｋクロックモジュールからの前記複数の参照クロック信号を整流する全波整流器を含む、光コヒーレンストモグラフィシステム。
【請求項１０】
請求項１に記載の光コヒーレンストモグラフィシステムにおいて、前記光掃引源システムでは、高い走査速度の走査帯域が、低い走査速度の走査帯域よりも狭い、光コヒーレンストモグラフィシステム
【請求項１１】
請求項１に記載の光コヒーレンストモグラフィシステムにおいて、前記光掃引源システムでは、高い走査速度の走査帯域が、低い走査速度の走査帯域と実質的に同一である、光コヒーレンストモグラフィシステム。
【請求項１２】
請求項１に記載の光コヒーレンストモグラフィシステムにおいて、前記光掃引源システムが、異なる走査速度で動作する少なくとも２つのレーザ掃引源を含む、光コヒーレンストモグラフィシステム。
【請求項１３】
請求項１に記載の光コヒーレンストモグラフィシステムにおいて、前記光掃引源システムが、異なる走査速度で動作する少なくとも２つのＡＳＥ掃引光源を含む、光コヒーレンストモグラフィシステム。
【請求項１４】
請求項１に記載の光コヒーレンストモグラフィシステムにおいて、前記検出システムは、前記干渉信号を検出する平衡検出器と、この平衡検出器の信号をアナログデジタル変換するデータ取得システムとを含む、光コヒーレンストモグラフィシステム。
【請求項１５】
掃引光信号を生成し、この掃引光信号を少なくとも２種類の掃引速度で周波数走査を行う工程と、
前記掃引光信号を干渉計の参照アームと試料アームとの間で分割し、前記参照アームと前記試料アームとから戻る光信号を合わせて干渉信号を生成する工程と、
前記掃引速度に応じて、異なる光周波数サンプリング間隔で、前記干渉信号を検出する工程とを備えた、光コヒーレンストモグラフィ方法。
【請求項１６】
請求項１５に記載の光コヒーレンストモグラフィ方法において、さらに、
前記掃引光信号の周波数走査を検出し、前記干渉信号の検出を制御するのに用いられる光周波数の間隔で前記掃引光信号が走査されると、ｋクロック信号を生成する、周波数走査検出工程を備えた、光コヒーレンストモグラフィ方法。
【請求項１７】
請求項１５に記載の光コヒーレンストモグラフィ方法において、さらに、
前記掃引光信号の周波数走査を検出し、前記干渉信号の検出を制御するのに用いられる一定の光周波数間隔で前記掃引光信号が走査されると、ｋクロック信号を生成する、周波数走査検出工程を備えた、光コヒーレンストモグラフィ方法。
【請求項１８】
請求項１７に記載の光コヒーレンストモグラフィ方法において、前記周波数走査検出工程が、エタロンで前記掃引光信号をフィルタリングする工程を含む、光コヒーレンストモグラフィ方法。
【請求項１９】
請求項１７に記載の光コヒーレンストモグラフィ方法において、前記周波数走査検出工程が、ｋクロック干渉計で前記掃引光信号をフィルタリングする工程を含む、光コヒーレンストモグラフィ方法。
【請求項２０】
請求項１７に記載の光コヒーレンストモグラフィ方法において、さらに、
前記ｋクロック信号を生成するために、前記光掃引源システムに対して選択された掃引速度に応じて、複数の参照クロック信号の中からの選択を行う、工程を備えた、光コヒーレンストモグラフィ方法。
【請求項２１】
請求項１５に記載の光コヒーレンストモグラフィ方法において、
前記掃引光信号の周波数走査を検出する工程と、
前記掃引光信号が一定の光周波数間隔で走査されると、複数の参照クロック信号を生成する、工程と、
ｋクロック信号を生成するために、前記光掃引源システムに対して選択された掃引速度に応じて、前記複数の参照クロック信号の周波数を乗算する、工程と、
前記干渉信号の検出を制御するために、前記ｋクロック信号を用いる、工程とを備えた光コヒーレンストモグラフィ方法。
【請求項２２】
請求項２１に記載の光コヒーレンストモグラフィ方法において、前記複数の参照クロック信号の周波数を乗算する工程が、バンドパスフィルタリングの前に、前記複数の参照クロック信号を整流する工程を含む、光コヒーレンストモグラフィ方法。
【請求項２３】
請求項１５に記載の光コヒーレンストモグラフィ方法において、高い走査速度の走査帯域が、低い走査速度の走査帯域よりも狭い、光コヒーレンストモグラフィ方法。
【請求項２４】
光掃引源システムからの前記掃引光信号の周波数走査を検出し、掃引光信号が光周波数の間隔で走査されると、ｋクロック信号を生成する光コヒーレンストモグラフィシステムについてのｋクロックモジュールであって、
前記光掃引源システムからの前記掃引光信号をフィルタリングする少なくとも２つの光学フィルタと、
複数の参照クロック信号を生成するように、前記少なくとも２つの光学フィルタによってフィルタリングされた前記掃引光信号を検出する、ｋクロック検出器と、
前記ｋクロック信号を生成するように、前記光掃引源システムに対して選択された掃引速度に応じて、前記参照クロック信号の中からの選択を行うクロックセレクタとを備えた、ｋクロックモジュール。
【請求項２５】
請求項２４に記載のｋクロックモジュールにおいて、前記２つの光学フィルタの少なくとも１つはエタロンである、ｋクロックモジュール。
【請求項２６】
請求項２４に記載のｋクロックモジュールにおいて、前記２つの光学フィルタの少なくとも１つはｋクロック干渉計である、ｋクロックモジュール。
【請求項２７】
光掃引源システムからの前記掃引光信号の周波数走査を検出し、掃引光信号が光周波数の間隔で走査されると、ｋクロック信号を生成する光コヒーレンストモグラフィシステムのｋクロックモジュールであって、
前記光掃引源システムからの前記掃引光信号をフィルタリングする光学フィルタと、
参照クロック信号を生成するために、前記光学フィルタによってフィルタリングされた前記掃引光信号を検出する、ｋクロック検出器と、
ｋクロック信号を生成するために、前記光掃引源システムに対して選択された掃引速度に応じて、前記参照クロック信号の周波数を乗算するｋクロック乗算モジュールとを備えた、光コヒーレンストモグラフィシステムのｋクロックモジュール。
【請求項２８】
請求項２７に記載のｋクロックモジュールにおいて、前記ｋクロック乗算モジュールが、バンドパスフィルタによるフィルタリングの前に、前記ｋクロックモジュールからの前記参照クロック信号を整流する整流器を含む、光コヒーレンストモグラフィシステム。
【請求項２９】
請求項２７に記載のｋクロックモジュールにおいて、前記ｋクロック乗算モジュールが、バンドパスフィルタによるフィルタリングの前に、前記ｋクロックモジュールからの前記参照クロック信号を整流する全波整流器を含む、光コヒーレンストモグラフィシステム。